(57)【特許請求の範囲】
【請求項１】
建築物における複数の外装材の縦目地と横目地との接続部に配設される目地縁切部材であって、
前記横目地を挟んで互いに隣り合う前記外装材の前記縦目地側の端面である第１端面に当接し、前記横目地の縁端を閉塞する薄板状のプレート部を備え、
前記プレート部は、前記縦目地の延伸方向における端部である第１端部および第２端部を有し、
前記第１端部および前記第２端部の少なくとも一方が、屋内側に向けて斜め上方に立ち上がった部分を含んでいることを特徴とする目地縁切部材。
【請求項２】
前記プレート部の一部が、前記縦目地から屋外側に突出するように延在していることを特徴とする請求項１に記載の目地縁切部材。
【請求項３】
前記プレート部は、前記第１端部および前記第２端部と前記第１端面との段差が小さくなるように、前記第１端部および前記第２端部に向けて徐々に薄くなっていることを特徴とする請求項１または２に記載の目地縁切部材。
【請求項４】
前記プレート部に突設された突設部をさらに有し、
前記突設部は、前記横目地を挟んで互いに隣り合う前記外装材の当該横目地側の端面である第２端面に対応する形状であることを特徴とする請求項１から３のいずれか一項に記載の目地縁切部材。
【請求項５】
前記第１端部および前記第２端部の両方が、前記屋内側に向けて斜め上方に立ち上がった部分を含んでいることを特徴とする請求項１から４のいずれか一項に記載の目地縁切部材。
【発明の詳細な説明】
【技術分野】
【０００１】
本発明は、建築物の外壁における縦目地と横目地との接続部に配設される目地縁切部材に関するものである。
【背景技術】
【０００２】
従来、住宅などの建築物の外壁をなす複数の外装パネルの目地には、雨水などの浸入を防ぐためにガスケット（シーラント）が設けられている。ところが、横Ｔ字型や十字型などの目地構造における縦目地と横目地との接続部では、ガスケットによるシールライン（ガスケットと外装パネル端面との接触部分）が途切れるため、水密性（シール性）が低下することが知られている。
【０００３】
このような問題に関連して、例えば特許文献１には、縦目地と横目地との接続部における水密性を維持するエンドキャップ（目地縁切部材）が提案されている。
【０００４】
図５の（ａ）は、従来のエンドキャップ１０１の構成を示す斜視図であり、図５の（ｂ）は、図５の（ａ）に示されるエンドキャップ１０１を縦目地Ｍ１と横目地Ｍ２との接続部に配設した状態の一例を示す斜視図である。
【０００５】
図５の（ａ）に示すように、特許文献１のエンドキャップ１０１は、三角体１０２と、該三角体１０２に固着されたプレート部１０３とから成る。このエンドキャップ１０１は、図５の（ｂ）に示すように、外装パネル１４１と外装パネル１４２との継目である横目地Ｍ２に三角体１０２が押し込まれる共に、プレート部１０３を外装パネル１４１の縦目地Ｍ１側の端面１４１ａおよび外装パネル１４２の縦目地Ｍ１側の端面１４２ａにそれぞれ当接させて取り付けられる。
【０００６】
これにより、横目地Ｍ２に設けられるガスケット１５２の端末部の形状異常を矯正することによって、縦目地と横目地との接続部における水密性を維持している。
【先行技術文献】
【特許文献】
【０００７】
【特許文献１】特開平８−１２０９１０号公報（１９９６年５月１４日公開）
【発明の概要】
【発明が解決しようとする課題】
【０００８】
しかしながら、上述のような従来技術では、プレート部１０３の上端部１０３ａおよび下端部１０３ｂは、縦目地Ｍ１に設けられるガスケット（図示しない）の延伸方向（シールライン）１５１に対して垂直に交わる。
【０００９】
このため、プレート部１０３の上端部１０３ａおよび下端部１０３ｂの厚み（段差）によって生じる、縦目地Ｍ１に設けられるガスケットと外装パネル１４１・１４２の端面１４１ａ・１４２ａとの隙間（三角隙）などから雨水が浸入した場合、雨水は、上端部１０３ａおよび下端部１０３ｂを伝わって屋内側へ流れ込む可能性がある。
【００１０】
したがって、上述のような雨水の入水を抑制し、縦目地と横目地との接続部の水密性をさらに向上させる新たな技術の開発が望まれている。
【００１１】
本発明は、上記従来の課題に鑑みてなされたものであって、その目的は、縦目地と横目地との接続部における水密性を向上させることが可能な目地縁切部材を提供することにある。
【課題を解決するための手段】
【００１２】
上記の課題を解決するために、本発明に係る目地縁切部材は、建築物における複数の外装材の縦目地と横目地との接続部に配設される目地縁切部材であって、前記横目地を挟んで互いに隣り合う前記外装材の前記縦目地側の端面である第１端面に当接し、前記横目地の縁端を閉塞する薄板状のプレート部を備え、前記プレート部は、前記縦目地の延伸方向における端部である第１端部および第２端部を有し、前記第１端部および前記第２端部の少なくとも一方が、屋内側に向けて斜め上方に立ち上がった部分を含んでいることを特徴としている。
【００１３】
上記の構成では、プレート部の第１端部および第２端部の少なくとも一方が、屋内側に向けて斜め上方に立ち上がった部分を含んでいる。このため、縦目地に設けられる乾式または湿式の目地材（乾式の場合はガスケット、湿式の場合はシーラント）と外装材との隙間（三角隙）から雨水などが浸入した場合であっても、侵入した雨水などは、第１端部および／または第２端部の屋内側に向けて斜め上方に立ち上がった部分を伝わることができず、屋内側へ流れ込むことがない。
【００１４】
よって、従来のように、プレート部の上端部および下端部を伝わって、雨水が屋内側へ入水することを抑制することができる。
【００１５】
したがって、上記の構成によれば、縦目地と横目地との接続部における水密性を向上させることが可能な目地縁切部材を実現することができる。
【００１６】
また、本発明に係る目地縁切部材では、前記プレート部の一部が、前記縦目地から屋外側に突出するように延在していてもよい。
【００１７】
上記の構成では、プレート部の一部が、縦目地から屋外側に突出して延在しているため、サッシなどの外装材の第１端面をプレート部で覆うことが可能となる。
【００１８】
したがって、上記の構成によれば、縦目地にガスケットを設ける際に、サッシなどの外装材の角部や粗い端面（第１端面）によってガスケットに傷が付くことを防止することができる。また、外装材の角部や粗い端面をプレート部によって覆い隠すことができるので、サッシの意匠性を向上させることができる。さらに、縦目地にガスケットを設ける際に、プレート部をガイドとして機能させることができるため、ガスケットの組付作業性を向上させることができる。
【００１９】
また、本発明に係る目地縁切部材では、前記プレート部は、前記第１端部および前記第２端部と前記第１端面との段差が小さくなるように、前記第１端部および前記第２端部に向けて徐々に薄くなっていてもよい。
【００２０】
上記の構成では、第１端部および第２端部に向けてプレート部が徐々に薄くなっているため、第１端部および第２端部の厚み（段差）によって生じるガスケットと外装材の第１端面との隙間（三角隙）を小さくすることができる。
【００２１】
したがって、上記の構成によれば、上記隙間から雨水などが浸入しにくくなるため、縦目地と横目地との接続部における水密性をより向上させることができる。
【００２２】
また、本発明に係る目地縁切部材では、前記プレート部に突設された突設部をさらに有し、前記突設部は、前記横目地を挟んで互いに隣り合う前記外装材の当該横目地側の端面である第２端面に対応する形状であってもよい。
【００２３】
上記の構成によれば、外装材の第２端面に突設部を当接させることにより、目地縁切部材の位置決めを容易に行うことができると共に、目地縁切部材の位置ずれを抑制することができる。
【００２４】
また、本発明に係る目地縁切部材では、前記第１端部および前記第２端部の両方が、前記屋内側に向けて斜め上方に立ち上がった部分を含んでいてもよい。
【００２５】
上記の構成では、プレート部の第１端部および第２端部の両方が、屋内側に向けて斜め上方に立ち上がった部分を含んでいる。このため、プレート部の第１端部および第２端部を伝わって、雨水が屋内側へ入水することを好適に抑制することができる。
【００２６】
したがって、上記の構成によれば、縦目地と横目地との接続部における水密性をさらに向上させることができる。
【発明の効果】
【００２７】
以上のように、本発明に係る目地縁切部材は、建築物における複数の外装材の縦目地と横目地との接続部に配設される目地縁切部材であって、前記横目地を挟んで互いに隣り合う前記外装材の前記縦目地側の第１端面に当接し、前記横目地の縁端を閉塞する薄板状のプレート部を備え、前記プレート部は、前記縦目地の延伸方向における端部である第１端部および第２端部を有し、前記第１端部および前記第２端部の少なくとも一方が、屋内側に向けて斜め上方に立ち上がった部分を含んでいる。
【００２８】
したがって、本発明によれば、縦目地と横目地との接続部における水密性を向上させることが可能な目地縁切部材を提供することができるという効果を奏する。
【図面の簡単な説明】
【００２９】
【図１】（ａ）は、本発明に係る目地縁切部材が適用される建築物の目地構造の一例を示す正面図であり、（ｂ）は、（ａ）に示されるＡ−Ａ’断面図であり、（ｃ）は、（ａ）に示される縦目地と横目地との接続部を示す斜視図である。
【図２】（ａ）および（ｂ）は、本発明に係る目地縁切部材の実施形態を示す斜視図であって、（ａ）は、目地縁切部材を建築物に組み付けた際に、外装材の縦目地側に現れる面から見た場合の斜視図であり、（ｂ）は、（ａ）に示される目地縁切部材を、外装材の縦目地の第１端面に当接する側の面から見た場合の斜視図である。
【図３】図２の（ａ）および（ｂ）に示される目地縁切部材を縦目地と横目地との接続部に配設した状態の一例を示す側面透視図である。
【図４】（ａ）は、実施形態に係る目地縁切部材の変形例を示す平面図であり、（ｂ）は、（ａ）に示される目地縁切部材を図１の（ａ）に示される横Ｔ字型の目地に配設した状態の一例を示す側面透視図である。
【図５】（ａ）は、従来のエンドキャップの構成を示す斜視図であり、（ｂ）は、（ａ）に示されるエンドキャップを縦目地と横目地との接続部に配設した状態の一例を示す斜視図である。
【発明を実施するための形態】
【００３０】
以下、本発明の実施の形態について、図１〜図４に基づいて説明すれば、以下のとおりである。
【００３１】
〔目地縁切部材の用途〕
本発明に係る目地縁切部材は、住宅などの建築物の外壁をなす複数の外装材（外装パネル、サッシなど）の縦目地と横目地との接続部（横Ｔ字型や十字型の目地）に配設されることにより、当該接続部における水密性を向上させるものである。
【００３２】
図１の（ａ）は、本発明に係る目地縁切部材が適用される建築物の目地構造の一例を示す正面図であり、図１の（ｂ）は、図１の（ａ）に示されるＡ−Ａ’断面図であり、図１の（ｃ）は、図１の（ａ）に示される縦目地Ｍ１と横目地Ｍ２との接続部を示す斜視図である。なお、図１の（ｃ）では、便宜的に縦目地Ｍ１に設けられる縦目地材、および横目地Ｍ２に設けられる横目地材を省略している。
【００３３】
図１の（ａ）に示すように、複数の外装パネル（外装材）４１・４２・４３の縦目地Ｍ１および横目地Ｍ２には、雨水などの浸入を防ぐために目地材が設けられる。
【００３４】
縦目地Ｍ１は、上下に並ぶ外装パネル４１・４２とそれらの横（右側）に併設されている外装パネル４３との継目であり、縦目地Ｍ１を挟んで、外装パネル４１・４２と外装パネル４３とが左右に互いに隣り合っている。この縦目地Ｍ１には、縦目地材が設けられている。
【００３５】
図１の（ｂ）に示すように、縦目地Ｍ１に設けられる縦目地材は、乾式の縦目地ガスケット５１であり、縦目地Ｍ１の底側から開口側（すなわち、建築物の屋内側から屋外側）に向けて延伸する柱状部５１１、および柱状部５１１から上側の外装パネル４１の縦目地Ｍ１側の端面である第１端面４１１と外装パネル４３の縦目地Ｍ１側の端面４３１とに向けて延伸し、第１端面４１１および端面４３１に接触する複数のリップ部５１２を備えている。
【００３６】
この縦目地ガスケット５１は、上側の外装パネル４１の縦目地Ｍ１側の第１端面４１１、下側の外装パネル４２の縦目地Ｍ１側の端面である第１端面４２１、および併設されている外装パネル４３の縦目地Ｍ１側の端面４３１に、リップ部５１２を線状に接触させることによりシールラインＬを形成する。縦目地ガスケット５１は、シールラインＬによって、雨水などが屋内側へ入水することを防止している。
【００３７】
横目地Ｍ２は、上側の外装パネル４１と下側の外装パネル４２との継目であり、横目地Ｍ２を挟んで、上側の外装パネル４１と下側の外装パネル４２とが上下に互いに隣り合っている。横目地Ｍ２の縁端は縦目地Ｍ１に接続されており、これにより、横Ｔ字型の目地が構成されている。この横目地Ｍ２には、縦目地ガスケット５１のような乾式の目地材であって、縦目地ガスケット５１とは相違した形状の横目地ガスケット５２（水切り材）が設けられる。また、乾式の目地材（横目地ガスケット５２）に代えて、湿式の目地材である例えばシリコーンシーラントが横目地Ｍ２に注入されることもある。
【００３８】
ここで、図１の（ｃ）に示すように、横Ｔ字型の目地では、縦目地Ｍ１におけるシールラインＬが、縦目地Ｍ１と横目地Ｍ２との接続部で途切れる（図中破線枠Ｂを参照）。このため、縦目地Ｍ１と横目地Ｍ２との接続部における水密性が低下し、当該接続部から雨水が入水しやすくなるという問題がある。
【００３９】
本発明に係る目地縁切部材は、このような縦目地Ｍ１と横目地Ｍ２との接続部に配設され、当該接続部における水密性を向上させるものである。
【００４０】
〔目地縁切部材１の構成〕
図２の（ａ）および（ｂ）は、本実施形態に係る目地縁切部材１を示す斜視図であり、図３は、図２の（ａ）および（ｂ）に示される目地縁切部材１を縦目地Ｍ１と横目地Ｍ２との接続部に配設した状態の一例を示す側面透視図である。
【００４１】
なお、縦目地Ｍ１には上述した縦目地ガスケット５１が設けられており、横目地Ｍ２には上述した横目地ガスケット５２が設けられているが、図３では、便宜的に縦目地ガスケット５１および横目地ガスケット５２を省略している。
【００４２】
図２および図３に示すように、本実施形態に係る目地縁切部材１は、外装パネル（外装材）４４とサッシ（外装材）４５との継目である横目地Ｍ２の縁端に取り付けられるものである。目地縁切部材１は、プレート部２、突設部３、および防水テープ４を備えている。
【００４３】
［プレート部２］
プレート部２は、縦目地Ｍ１に接続される横目地Ｍ２の縁端を閉塞する薄板部材である。プレート部２は、ＰＶＣ、ＡＥＳ、ＰＰ、ＰＥ、６−ナイロン、６−６ナイロン、ＰＥＴ、ＰＣなどの硬質樹脂、ゴムなどの弾性物質、または金属から構成されている。
【００４４】
プレート部２は、上側の外装パネル４４の縦目地Ｍ１側の端面である第１端面４４１、およびこれより下側にあるサッシ４５の縦目地Ｍ１側の端面である第１端面４５１に当接するように配置される。換言すれば、プレート部２は、上側の外装パネル４４の縦目地Ｍ１側の第１端面４４１と、これより下側にあるサッシ４５の縦目地Ｍ１側の第１端面４５１とに架け渡されて配置される。
【００４５】
このように、縦目地Ｍ１に接続される横目地Ｍ２の縁端をプレート部２によって閉塞することにより、縦目地Ｍ１におけるシールラインＬが、縦目地Ｍ１と横目地Ｍ２との接続部で途切れなくなる。このため、縦目地Ｍ１と横目地Ｍ２との接続部における水密性の低下を抑制することができる。
【００４６】
このプレート部２は、第１端部２１、第２端部２２、延在部２３、およびテーパー部２４を含んでいる。
【００４７】
第１端部２１および第２端部２２は、縦目地Ｍ１の延伸方向に位置するプレート部２の上端部および下端部である。
【００４８】
第１端部２１は、第２端部２２に対して上方（外装パネル４４側）に位置する端部である。第１端部２１は、シールラインＬに対して斜めに交わるように、屋内側に向けて斜め上方に立ち上がった部分を含んでいる。
【００４９】
第２端部２２は、第１端部２１に対して下方（サッシ４５側）に位置する端部である。第２端部２２は、シールラインＬに対して斜めに交わるように、屋内側に向けて斜め上方に立ち上がった部分を含んでいる。
【００５０】
このように、プレート部２は、第１端部２１および第２端部２２の両方が、屋内側に向けて斜め上方に立ち上がった部分を含んでいる。
【００５１】
このため、プレート部２の第１端部２１の厚み（段差）によって生じる縦目地ガスケット５１と外装パネル４４の第１端面４４１との隙間（三角隙）から雨水などが浸入した場合であっても、侵入した雨水などは、第１端部２１の屋内側に向けて斜め上方に立ち上がった部分を超えることができないため、屋内側へ流れ込むことがない。
【００５２】
同様に、プレート部２の第２端部２２の厚み（段差）によって生じる縦目地ガスケット５１とサッシ４５の第１端面４５１との隙間（三角隙）から雨水などが浸入した場合であっても、侵入した雨水などは、第２端部２２の屋内側に向けて斜め上方に立ち上がった部分を伝わることができないため、屋内側へ流れ込むことがない。
【００５３】
したがって、第１端部２１および第２端部２２が屋内側に向けて斜め上方に立ち上がった部分を含むことにより、プレート部２の第１端部２１および第２端部２２を伝わって、雨水などが屋内側へ入水することを抑制することができる。
【００５４】
延在部２３は、縦目地Ｍ１から屋外側に突出するように、プレート部２の一部が延在した部分である。プレート部２が延在部２３を含むことにより、サッシ４５の第１端面４５１の角部や、横目地Ｍ２に設けられる横目地ガスケット５２の補助部材（外装材）４６の端面によって形成される第１端面４６１などを延在部２３で覆うことが可能となる。
【００５５】
このため、縦目地Ｍ１に縦目地ガスケット５１を設ける際に、サッシ４５の第１端面４５１の角部や横目地ガスケット５２の補助部材４６の切れっぱなしによる粗い第１端面４６１などによって縦目地ガスケット５１に傷が付くことを防止することができる。
【００５６】
また、サッシ４５の第１端面４５１の角部や横目地ガスケット５２の補助部材４６による第１端面４６１をプレート部２によって覆い隠すことができるので、サッシ４５の意匠性を向上させることができる。
【００５７】
さらに、縦目地Ｍ１に縦目地ガスケット５１を設ける際に、延在部２３の側面が平滑なため、縦目地ガスケット５１のシール面を延在部２３に押し当てながら室内側へ押し込む際に、スライドさせるガイドとして機能させることができることから、縦目地ガスケット５１の組付作業性を向上させることができる。
【００５８】
なお、延在部２３の形状は、外装材の形状などに応じて適宜変更可能である。また、横目地Ｍ２が、図１の（ａ）に示すように、厚みがほぼ同一である外装パネル４１と外装パネル４２との継目である場合、延在部２３は外装パネル４１・４２よりも室外側へ突出しない程度に突出量を調整することができ、または省略することも可能である。
【００５９】
テーパー部２４は、プレート部２の周端部の厚みが徐々に薄くなった部分である。プレート部２がテーパー部２４を含むことにより、第１端部２１の厚み（段差）を減少させることができる。このため、第１端部２１の厚みによって生じる縦目地ガスケット５１と外装パネル４４の第１端面４４１との隙間（三角隙）を小さくすることができる。
【００６０】
同様に、プレート部２がテーパー部２４を含むことにより、プレート部２の第２端部２２の厚み（段差）を減少させることができる。このため、第２端部２２の厚みによって生じる縦目地ガスケット５１とサッシ４５の第１端面４５１との隙間（三角隙）を小さくすることができる。
【００６１】
これにより、上記隙間から雨水などが浸入しにくくなるため、縦目地Ｍ１と横目地Ｍ２との接続部における水密性をさらに向上させることができる。
【００６２】
なお、テーパー部２４の先端部における厚みは、２．０ｍｍ以下であることが好ましく、１．０ｍｍ以下であることがより好ましく、０．５ｍｍ以下であることがさらに好ましい。これにより、縦目地Ｍ１と横目地Ｍ２との接続部における優れた水密性を実現することができる。
【００６３】
［突設部３］
突設部３は、外装パネル４４の第１端面４４１の下縁およびサッシ４５の第１端面４５１の上縁に当接する側のプレート部２の面に突設された突起部材である。突設部３は、外装パネル４４の横目地Ｍ２側の端面である上側の第２端面４４２またはサッシ４５の横目地Ｍ２側の端面である下側の第２端面４５２などに当接可能なように、第２端面４４２・４５２に対応する形状を有している。
【００６４】
突設部３は、横目地Ｍ２の縁端側から当該横目地Ｍ２に差し込まれると共に、外装パネル４４やサッシ４５などに当接する。図３では、突設部３の上端側が、第２端面４４２に当接し、突設部３の下端側が、サッシ４５の室外側の表面に当接している。これにより、目地縁切部材１の位置決めを容易に行うことができると共に、目地縁切部材１の位置ずれを抑制することができる。
【００６５】
なお、図３においてサッシ４５の室外側の表面に当接している突設部３の下端側を、サッシ４５の室外側の表面よりも室内側へ引き込んだ状態にすることもできる（図示しない）。この場合、突設部３の下端側は、下側の第２端面４５２に当接せず、当該第２端面４５２から浮いた状態（隙間を設けた状態）であることが好ましい。これは、横目地Ｍ２の目地幅がバラツキ易いことから、横目地Ｍ２に突設部３が装着できなくなるのを防止するためである。これと同じように、突設部３の下端側を、下側の第２端面４５２に当接させる場合、突設部３の上端側と上側の第２端面４４２とに隙間を設けておくことが好ましい。
【００６６】
また、突設部３は、横目地Ｍ２に設けられる横目地ガスケット５２の補助部材（外装材）４６よりも室内側に配置され、この補助部材４６の室内側の側面に相応した形状をしている。
【００６７】
［防水テープ４］
防水テープ４は、外装パネル４４の第１端面４４１およびサッシ４５の第１端面４５１に当接するプレート部２の面に設けられた防水性を有する両面テープである。防水テープ４は、上側の外装パネル４４の第１端面４４１および、これより下側に設置されるサッシ４５の第１端面４５１に、プレート部２が貼接する。これにより、縦目地Ｍ１に接続される横目地Ｍ２の縁端に、目地縁切部材１が固定される。
【００６８】
〔目地縁切部材１の効果〕
以上のように、本実施形態に係る目地縁切部材１は、建築物における複数の外装材の縦目地Ｍ１と横目地Ｍ２との接続部に配設される目地縁切部材１であって、上側の外装パネル４４の縦目地Ｍ１側の第１端面４４１、および、これより下側に設置されるサッシ４５の縦目地Ｍ１側の第１端面４５１に当接し、横目地Ｍ２の縁端を閉塞する薄板状のプレート部２を備えている。
【００６９】
プレート部２は、縦目地Ｍ１の延伸方向における端部である第１端部２１および第２端部２２を有し、第１端部２１および第２端部２２の両方が、屋内側に向けて斜め上方に立ち上がった部分を含んでいる。
【００７０】
上記の構成では、プレート部２の第１端部２１および第２端部２２が、屋内側に向けて斜め上方に立ち上がった部分を含んでいる。
【００７１】
このため、プレート部２の第１端部２１の厚み（段差）によって生じる縦目地ガスケット５１と外装パネル４４の上側の第１端面４４１との隙間（三角隙）から侵入した雨水などは、第１端部２１の屋内側に向けて斜め上方に立ち上がった部分を超えることができず、屋内側へ流れ込むことがない。
【００７２】
同様に、プレート部２の第２端部２２の厚み（段差）によって生じる縦目地ガスケット５１とサッシ４５の下側の第１端面４５１との隙間（三角隙）から浸入した雨水などは、第２端部２２の屋内側に向けて斜め上方に立ち上がった部分を伝わることができず、屋内側へ流れ込むことがない。
【００７３】
このように、第１端部２１および第２端部２２が屋内側に向けて斜め上方に立ち上がった部分を含むことにより、プレート部２の第１端部２１および第２端部２２を伝わって、雨水などが屋内側へ入水することを抑制することができる。
【００７４】
したがって、本実施形態によれば、縦目地Ｍ１と横目地Ｍ２との接続部における水密性を向上させることが可能な目地縁切部材１を実現することができる。
【００７５】
〔変形例〕
上述の実施形態では、プレート部２が、縦目地Ｍ１から屋外側に突出するように延在した延在部２３を含む構成について説明した。しかしながら、プレート部２の形状は、外装材の形状などに応じて適宜変更可能である。
【００７６】
図４の（ａ）は、目地縁切部材１の変形例を示す平面図であり、図４の（ｂ）は、図４の（ａ）に示される目地縁切部材１ａを図１の（ａ）に示される横Ｔ字型の目地に配設した状態の一例を示す側面透視図である。
【００７７】
図４の（ａ）に示すように、目地縁切部材１ａは、延在部２３を含まない略平行四辺形形状のプレート部２ａを備えている。この目地縁切部材１ａは、図４の（ｂ）に示すように、厚みがほぼ同一である上下に並んだ外装パネル４１と外装パネル４２との継目である横目地Ｍ２の縁端に好適に配設することができる。
【００７８】
目地縁切部材１ａによっても、プレート部２ａの第１端部２１および第２端部２２が、シールラインＬに対して斜めに交わるように、屋内側に向けて斜め上方に立ち上がった部分を含んでいるため、雨水などが屋内側へ入水することを抑制することができる。
【００７９】
したがって、本変形例によれば、縦目地Ｍ１と横目地Ｍ２との接続部における水密性を向上させることが可能な目地縁切部材１ａを実現することができる。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００８１】
以下、本発明の一実施例について、表１に基づいて説明すれば、以下のとおりである。なお、説明の便宜上、前記実施形態にて説明した部材と同じ機能を有する部材については、同じ符号を付記する。
【００８２】
本実施例では、日本工業規格の「建具の水密性試験方法（ＪＩＳ−１５１７）」に準拠して、縦目地Ｍ１と横目地Ｍ２とが横Ｔ字型に接続された目地における水密性を試験した。
【００８３】
［目地縁切部材の作製］
本実施例では、比較例の目地縁切部材として、縦目地Ｍ１に設けられる縦目地ガスケット５１のシールラインＬに対して垂直に交わる第１端部２１および第２端部２２を有し、かつ厚み（０．５ｍｍ）が一定であるプレート部２を備える目地縁切部材（比較例１）を作製した。
【００８４】
一方、本発明の実施例として、縦目地Ｍ１に設けられる縦目地ガスケット５１のシールラインＬに対して斜めに交わるように、屋内側に向けて斜め上方に立ち上がった部分を含む第１端部２１および第２端部２２を有し、かつ厚み（０．５ｍｍ）が一定であるプレート部２を備える目地縁切部材（実施例１）を作製した。
【００８５】
また、本発明の他の実施例として、上記実施例１の目地縁切部材が備えるプレート部２の厚みを１．０ｍｍに変更した目地縁切部材（実施例２）を作製した。
【００８６】
さらに、本発明のさらに他の実施例として、上記実施例２の目地縁切部材が備えるプレート部２に、テーパー部２４（テーパー部２４の先端部の厚み：０．５ｍｍ以下）を追加した目地縁切部材（実施例３）を作製した。
【００８７】
［試験方法］
（１）横Ｔ字型の目地における横目地Ｍ２の縁端に目地縁切部材を配設した。
（２）水噴霧装置を用いて毎分４Ｌ/ｍ２の水量を横Ｔ字型の目地に対して均等に噴霧した。
（３）横Ｔ字型の目地に対して噴霧する水の圧力値を９８Ｐａ〜１１７６Ｐａの圧力範囲で段階的に変化させた。
【００８８】
［試験結果］
水密性試験の結果を以下の表１に示す。
【００８９】
【表１】
0006496204.tif 000002
【００９０】
表１には、横Ｔ字型の目地に目地縁切部材を配設して行った各試験結果と共に、横Ｔ字型の目地に目地縁切部材を配設しないで行った試験結果（目地縁切部材なし）も併せて記載している。また、表１では、各圧力値において、屋内側への漏水があった場合を「×」、屋内側への漏水がなかった場合を「〇」として記載している。
【００９１】
表１に示すように、横Ｔ字型の目地に目地縁切部材を設けない状態では、９８Ｐａ〜１１７６Ｐａのすべての圧力範囲において漏水があった。
【００９２】
これに対して、比較例１の目地縁切部材を横Ｔ字型の目地に配設した場合、９８Ｐａ〜７８４Ｐａの圧力範囲では漏水がなく、９８０Ｐａ〜１１７６Ｐａの圧力範囲で漏水があった。これにより、比較例１の目地縁切部材を設けることによって水密性が向上することが確認された。
【００９３】
さらに、実施例１の目地縁切部材を横Ｔ字型の目地に配設した場合、９８Ｐａ〜１１７６Ｐａのすべての圧力範囲において漏水がなかった。これにより、屋内側に向けて斜め上方に立ち上がった部分を含む第１端部２１および第２端部２２をプレート部２が有することによって水密性がより向上することが確認された。
【００９４】
なお、実施例２の目地縁切部材を横Ｔ字型の目地に配設した場合、７８４Ｐａ〜１１７６Ｐａの圧力範囲で漏水があり、実施例１の目地縁切部材に比べて水密性が低下した。
【００９５】
これに対して、実施例３の目地縁切部材を横Ｔ字型の目地に配設した場合、９８Ｐａ〜１１７６Ｐａのすべての圧力範囲において漏水がなく、実施例２の目地縁切部材に比べて水密性が向上した。これにより、プレート部２にテーパー部２４を追加することによって水密性が向上することが確認された。
【００９６】
以上の試験結果から、屋内側に向けて斜め上方に立ち上がった部分を含む第１端部２１および第２端部２２をプレート部２が有することによって、縦目地Ｍ１と横目地Ｍ２との接続部における水密性が向上することが確認できた。
【００９７】
また、プレート部２の縁周りの厚みを０．５ｍｍにすることが望ましく、この場合、テーパー部２４を追加して、縁周りから中心部（内側）へ向けてプレート部２の厚みを徐々に大きくすることにより、プレート部２の中心部（本体）の剛性を維持しつつ、プレート部２の縁周り（先端部）の厚みを小さくすることが可能となる。これにより、プレート部２の取扱いを簡便にすると共に、縦目地Ｍ１と横目地Ｍ２との接続部における水密性が向上することが確認できた。
【符号の説明】
【００９８】
１，１ａ  目地縁切部材
２，２ａ  プレート部
３  突設部
２１  第１端部
２２  第２端部
２３  延在部
４１〜４４  外装パネル（外装材）
４５  サッシ（外装材）
４６  補助部材（外装材）
５１  縦目地ガスケット
５２  横目地ガスケット
４１１，４２１，４４１，４５１，４６１  第１端面
４４２，４５２  第２端面
Ｍ１  縦目地
Ｍ２  横目地
【図１】
0006496204.tif 000003
【図２】
0006496204.tif 000004
【図３】
0006496204.tif 000005
【図４】
0006496204.tif 000006
【図５】
0006496204.tif 000007